(57)【要約】      （修正有）【課題】合成樹脂製の骨枠にかえて環境に優しい材料の骨枠を使用し、しかも組立性や製品の均一性が劣らないようにした灯籠を提供する。【解決手段】立体形に成形した骨枠１，２の外周部に囲い紙３，４を取付けている灯籠であって、骨枠１，２には、ボール紙のような比較的剛性のある厚紙を使用することにより、灯籠の芯材としての機能を十分に確保できるとともに、廃棄時に灯籠全体をそのまま（分別することなく）焼却できるようにした。【選択図】図５
0003103022.tif 000002
【実用新案登録請求の範囲】
【請求項１】
立体形に成形した骨枠（１又は／及び２）の外周部に飾り突起（３４）つきの囲い紙（３）を取付けている灯籠であって、前記骨枠（１又は／及び２）には、ボール紙のような比較的剛性のある厚紙を使用していることを特徴とする灯籠。
【請求項２】
請求項１において、骨枠はそれぞれ厚紙製で内骨枠（１）と外骨枠（２）との内外２重に有しているとともに、外骨枠（２）の外側に飾り突起（３４）を有する囲い紙（３）を取付けていることを特徴とする灯籠。
【請求項３】
請求項１又は２において、飾り突起（３４）つきの囲い紙（３）は、飾り突起部分に保形性をもたせ得る程度の中厚紙を使用していることを特徴とする灯籠。
【請求項４】
請求項１から３のいずれか１項において、飾り突起（３４）つきの囲い紙（３）は、連続する１枚ものの紙を使用していることを特徴とする灯籠。
【考案の詳細な説明】
【技術分野】
【０００１】
本願考案は、お盆の時期にお墓に飾られる灯籠に関するものである。
【背景技術】
【０００２】
四国地方（特に香川県）では、お盆に墓参りする際に、図９に示すような灯籠を持参して、該灯籠でお墓を飾る風習がある。
【０００３】
この図９に示す灯籠は、実用新案登録第３０６０４９４号公報（図５）に記載されたもので、この公知の灯籠は、細長い骨材で立体形状の骨枠組立体１０１（実用新案登録第３０６０４９４号公報の図４）を形成し、その骨枠組立体１０１の外周に囲い紙（下部囲い紙１０３，上部囲い紙１０４）を貼り付けて灯籠本体Ｙを形成している。下部囲い紙１０３には、周方向の４箇所に四角錐状に突出した飾り突起１３４が形成されている。又、図９の吊り灯籠の場合は、各飾り突起１３４部分（４箇所）と上部囲い紙１０４の各角部の上端部（４箇所）にそれぞれ適宜の飾り材１０５を取付けており、又灯籠本体Ｙの下部に垂れ紙１０６（４箇所）を取付けるとともに、灯籠本体Ｙの上部に吊り手１０７を取付けている。
【０００４】
灯籠本体Ｙ部分の骨枠組立体１０１は、古くは竹ひごが使用されていたが、近年では、合成樹脂製のものがほとんどである。因に、竹ひご製の骨枠組立体１０１では、組立てに熟練を要し且つ長時間を要するとともに、形状が不揃いになり易いが、合成樹脂製の骨枠を複数個組付けて骨枠組立体１０１としたものでは、各骨枠に剛性があり且つ形状が画一化されているので、組立てが簡単となるとともに灯籠の形状が均一化する。
【０００５】
尚、この種の灯籠として、地方（特に、香川県の西讃地方）によっては、垂れ紙１０６や飾り材１０５の無い置き灯籠（実用新案登録第３０６０４９４号公報の図３）も製造されているが、この置き灯籠にも合成樹脂製の骨枠組立体１０１が使用されている。
【０００６】
【特許文献１】実用新案登録第３０６０４９４号公報
【考案の開示】
【考案が解決しようとする課題】
【０００７】
ところで、図９に示す灯籠は、お盆が終わると廃棄されるが、骨枠組立体１０１が合成樹脂製であると、そのまま焼却することができず、骨枠組立体１０１から燃やせる紙類（囲い紙１０３，１０４、飾り材１０５、垂れ紙１０６等）を分離して、該骨枠組立体１０１を分別廃棄する必要がある。尚、合成樹脂製の骨枠組立体を焼却すると、有毒排気ガスが発生するとともに、焼却炉が高温になって傷み易くなるという問題があり、合成樹脂廃材は一般に埋め立てゴミとして処理される。
【０００８】
このように、合成樹脂製の骨枠組立体１０１を使用した灯籠では、製造（組立て）が比較的簡単で均一形状に成形できるという利点があるものの、廃棄時の手間（分別廃棄）が多大となり、後の処理が問題になっている。
【０００９】
本願考案は、このような事情に鑑み、合成樹脂製の骨枠にかえて環境に優しい材料の骨枠を使用し、しかも組立性や製品の均一性が劣らないようにした灯籠を提供することを目的としている。
【課題を解決するための手段】
【００１０】
本願考案は、上記課題を解決するための手段として、次の構成を有している。尚、本願考案は、立体形の骨枠の外周部（４箇所）に飾り突起つきの囲い紙を取付けた灯籠を対象にしている。
【００１１】
そして、本願考案の灯籠では、灯籠本体部分に使用される骨枠に、ボール紙のような比較的剛性のある厚紙を使用している。この骨枠は、厚紙を打ち抜いて形成したもので、組立状態において、平面視が正方形で各側面（４面）にそれぞれ大きな開口を有している。骨枠用の原紙としては、例えば６００ｇ／ｍ2程度の坪量のボール紙を使用することができる。各側面の骨枠部分の幅は、５〜１０mm程度が適当である。この骨枠では、紙製であっても骨枠として十分な剛性を有する。尚、上記した骨枠用の原紙の坪量及び骨枠の各幅は特に限定するものではなく、灯籠用の骨枠として所定の剛性を発揮できるものであれば適宜のもの（厚さ及び幅）を採用できる。
【００１２】
灯籠本体の囲い紙は、灯籠本体内にロウソクを灯したときに、その灯明が囲い紙を通してぼんやりと見える程度の透光性を有するものが好ましい。尚、囲い紙には、飾り穴（透光穴）を形成してもよい。尚、囲い紙部分には、周方向の４箇所に四角錐状に突出する飾り突起が形成される。
【００１３】
本願の灯籠を吊り灯籠にする場合には、灯籠本体の囲い紙の外面適所に飾り材と、灯籠本体の下部に垂れ紙がそれぞれ取付けられるとともに、灯籠本体部分に吊り手が取付けられる。置き灯籠にする場合には、垂れ紙は取付けないとともに、灯籠本体の下面に台板を取付け、灯籠本体の上部に吊り手を取付て完成させる。尚、置き灯籠の場合は、飾り材を取付けないシンプルなものが多い。
【００１４】
このように本願の灯籠では、骨枠として剛性のある厚紙を使用しているので、骨枠が紙製であっても芯材として十分な剛性（強度）を有している。
【００１５】
又、本願考案では、骨枠を、それぞれ厚紙製で内骨枠と外骨枠との内外２重にすることもできる。その場合、外骨枠の外側に飾り突起を有する囲い紙を取付ける。このように骨枠を内外２重にしたものでは、外骨枠の外側に囲い紙を取付けた状態で、該外骨枠内の空所に上下方向から内骨枠を差し込んで合体させることができる。
【００１６】
さらに、本願考案では、飾り突起つきの囲い紙として、飾り突起部分に保形性をもたせ得る程度の中厚紙を使用することができる。この囲い紙の原紙としては、例えば１２２ｇ／ｍ2程度の坪量のもの（和紙でも洋紙でもよい）を使用するとよい。尚、この囲い紙の原紙の坪量も特に限定するものではなく、飾り突起部分に保形性をもたせ得るものであれば適宜のものを採用できる。
【００１７】
又、本願考案では、飾り突起つきの囲い紙として、連続する１枚ものの紙を使用することができる。この場合は、１枚ものの原紙から、側周４面が連続する状態で型抜きして囲い紙を形成する。尚、この囲い紙には、４つの菱形部と８つの正三角形部と糊代部（所定位置に適数個ある）とが連続状態で形成される。
【考案の効果】
【００１８】
本願考案の灯籠には、次のような効果がある。
【００１９】
まず、本願考案の灯籠では、骨枠に厚紙を使用しているので、廃棄時に灯籠全体をそのまま焼却でき（焼却しても何ら問題がない）、合成樹脂製の骨枠を使用した従来品のように囲い紙と骨枠とを分別する手間が不要となるという効果がある。尚、骨枠を紙製としたものであっても、比較的剛性のある厚紙を使用しているので、灯籠本体の芯材としての機能は十分に確保できる。
【００２０】
又、骨枠として、それぞれ厚紙製で内骨枠と外骨枠との内外２重にしたものでは、骨枠組立体の強度が増し、骨枠組立体を厚紙製としたものであっても灯籠本体部分を頑強に成形できるという効果がある。
【００２１】
又、飾り突起つきの囲い紙として、該飾り突起部分に保形性をもたせ得る程度の中厚紙を使用すると、該飾り突起部分に骨枠がなくても十分に飾り突起としての保形性を確保でき、骨枠組立体の構造を簡略化できるという効果がある。
【００２２】
又、飾り突起つきの囲い紙として、連続する１枚ものの紙を使用すると、該飾り突起つき囲い紙の部品点数を少なくできるとともに、該囲い紙を骨枠組立体の外周に取付ける作業が容易になるという効果がある。
【実施例】
【００２３】
以下、図１〜図８を参照して本願の実施例を説明すると、図１〜図４には本願実施例の灯籠（灯籠本体Ｙ）を構成するための各部材を示し、図５には図１〜図４の各部材のそれぞれ成形状態を示し、図６には各材料の組立過程を示し、図７及び図８には図１〜図４の各部材を使用して組立てた灯籠本体Ｙを示している。尚、本願の灯籠は、吊り灯籠とする場合には、図７に示す灯籠本体Ｙに、図９（従来例）の飾り材１０５や垂れ紙１０６や吊り手１０７等を取付けて完成させる。又、置き灯籠とする場合には、灯籠本体の下部に垂れ紙のかわりに薄い台板を取付ける。
【００２４】
図７及び図８に示す灯籠本体Ｙは、図１に示す内骨枠１と、図２に示す外骨枠２と、図３に示す下部囲い紙３と、図４に示す上部囲い紙４の４つの材料で構成されている。
【００２５】
図１の内骨枠１と図２の外骨枠２は、原紙としてそれぞれ６００ｇ／ｍ2程度の坪量の厚紙（ボール紙）が使用されている。尚、内骨枠１と外骨枠２の原紙となる厚紙（ボール紙）は、強度面で十分に機能するものであれば、適宜の坪量のものを採用できる。
そして、この内骨枠１と外骨枠２は、それぞれ１枚ものの厚紙を所定形状に打ち抜いて形成されている。尚、図１及び図２において、点線部分は折曲させ易くするための折曲加工線１９，２９である。この図１及び図２の折曲加工線１９，２９は、ミシン目により形成しているが、線状に型押ししたものでもよい。
【００２６】
図１の内骨枠１は、図５に示す組立状態で４つの側面を構成するために、３本の折曲加工線１９，１９，１９部分で連続させた１枚ものに形成している。又、この実施例では、吊り灯籠形成用であるため、内骨枠１には下部骨枠部１０と上部骨枠部１６とを一体成形している。尚、置き灯籠用に使用する骨枠では、上部骨枠部１６部分を削除することができる。
【００２７】
下部骨枠部１０の各側面形成部分（４面ある）は、それぞれ左右の各側辺骨１２，１２と上辺骨１３と下辺骨１４とを有する矩形骨１１で構成されている。尚、下部骨枠部１０の各矩形骨１１，１１・・は、各折曲加工線１９部分で左右に連続している。下部骨枠１０部分の高さＨ1は約１１０mmであり、各矩形骨１１の左右幅Ｗ1は約９６mmである。下部骨枠１０における各骨（側辺骨１２，上辺骨１３，下辺骨１４）の幅は、それぞれ約１０mmである。尚、下部骨枠部１０部分の各種寸法は、適宜に設定できる。
【００２８】
上部骨枠部１６の各側面形成部分（４面ある）は、左右の各側辺骨１７，１７と上辺骨１８で構成されている。この上部骨枠部１６にも、上記各折曲加工線１９，１９，１９が引き通されている。上部骨枠部１６の各側辺骨１７，１７の下端はそれぞれ下部骨枠部１０の上辺部に連続している。この上部骨枠部１６の高さＨ2は約５５mmであり、側辺骨１７及び上辺骨１８の各幅は約５mmである。尚、上部骨枠部１６の上記各種寸法も、適宜に設定できる。
【００２９】
そして、図１の内骨枠１は、各折曲加工線１９，１９，１９を順次同じ側に折曲させることにより、図５に示す立体型（四角筒状）の内骨枠１に成形できる。尚、内骨枠１は、立体型に成形した後、突き合わせ端縁同士を粘着テープ等で結合させておくとよい。
【００３０】
図２の外骨枠２は、図５に示す組立状態で４つの側面を構成するために、３本の折曲加工線２９，２９，２９部分で連続させた１枚ものに形成している。
【００３１】
外骨枠２の各側面形成部分（４面ある）は、それぞれ左右の各側辺骨２２，２２と上辺骨２３と下辺骨２４とを有する矩形骨２１で構成されている。尚、外骨枠２の各矩形骨２１，２１・・は、各折曲加工線２９部分で左右に連続している。外骨枠２の高さＨ3は内骨枠１の下部骨枠部１０の高さＨ1と同じ約１１０mmであり、各矩形骨２１の左右幅Ｗ2は内骨枠１の矩形骨１１の幅Ｗ1よりごく僅かに長い約９８mmである。各矩形骨２１における各骨（側辺骨２２，上辺骨２３，下辺骨２４）の幅は、それぞれ約１０mmである。尚、この外骨枠２の各種寸法は、内骨枠１の下部骨枠部１０部分の各寸法に対応して適宜に設定される。
【００３２】
そして、図２の外骨枠２は、各折曲加工線２９，２９，２９を順次同じ側に折曲させることにより、図５に示す立体型（四角筒状）の外骨枠２に成形できる。尚、外骨枠２も、立体型に成形した後、突き合わせ端縁同士を粘着テープ等で結合させておくとよい。
【００３３】
図３の下部囲い紙３及び図３の上部囲い紙４は、原紙としてそれぞれ１２２ｇ／ｍ2程度の坪量の中厚紙が使用されている。又、この各囲い紙３，４の原紙では、灯籠本体内にロウソクを灯したときに、その灯明が囲い紙３，４を通してぼんやりと見える程度の透光性を有している。尚、下部囲い紙３と上部囲い紙４の原紙となる中厚紙は、支障のない範囲で適宜の坪量のものを採用できる。
【００３４】
図３の下部囲い紙３は、１枚ものの原紙を一体に打抜いて形成したものである。この下部囲い紙３には、４つの菱形部３１と８つの正三角形部３２と複数の糊代部３３とが図３に示す状態で連続配置されている。菱形部３１と正三角形部３２と糊代部３３との間には、それぞれ折曲加工線３９（点線図示部分）が形成されている。尚、この図３の各折曲加工線３９は、それぞれ線状に型押ししたものである。
【００３５】
そして、図３の下部囲い紙３は、各折曲加工線３９，３９・・で折曲し、所定の各糊代部３３を所定の正三角形部３２の所定一辺に糊付けすることで、図５に示す立体型の下部囲い紙３に形成できる。図５に示す立体型に成形された下部囲い紙３には、四角錐状に突出する４つの飾り突起３４，３４・・が形成されている。この各飾り突起３４部分は、下部囲い紙３として上記した中厚紙（坪量が１２２ｇ／ｍ2程度）を使用しているので、内側に芯材（骨枠）がなくとも十分に保形性を確保できる。
【００３６】
又、図５の下部囲い紙３の状態では、上部開口３５と下部開口３６がそれぞれ正方形で且つ該各開口３５，３６の面積が立体型（図５）の外骨枠２の平面視とほぼ同面積となる。尚、立体型の下部囲い紙３の上下各開口縁には、それぞれ各辺に糊代部３３，３３・・がある。
【００３７】
この下部囲い紙３は、単独で成形したときには図５に示す立体形状になるが、該下部囲い紙３は図３の展張状態から、立体型（図５）の外骨枠２の外周に巻き付けるようにして取付ける。その際、下部囲い紙３の上下各開口縁にある各糊代部３３，３３・・は、図６（及び図８）に示すように外骨枠２の上辺骨２３又は下辺骨２４のそれぞれ内面に糊付けする。
【００３８】
図４の上部囲い紙４も、１枚ものの原紙を一体に打抜いて形成したものである。この上部囲い紙４は、内骨枠１の上部骨枠部１６の外周面を被覆するもので、各折曲加工線４９で区画された４つの矩形面４１，４１・・を有している。上部囲い紙４の各矩形面４１の幅Ｗ3は、内骨枠１の上部骨枠部１６の側面幅Ｗ1（約９６mm）よりごく僅かに広くなっている（Ｗ3＝約９８mm）。各矩形面４１，４１・・には、透光穴となる飾り穴４２がそれぞれ形成されている。上部囲い紙４の各矩形面４１，４１・・の下辺部には、それぞれ糊代部４３が形成されている。又、上部囲い紙４の一方の側縁部にも糊代部４３が形成されている。
【００３９】
そして、この上部囲い紙４は、各折曲加工線４９，４９，４９を順次同じ側に折曲させ、その一方の側縁部にある糊代部４３を他方の側縁部に糊付けすることにより、図５に示す立体型（四角筒状）の上部囲い紙４に成形できる。
【００４０】
この実施例の灯籠（灯籠本体Ｙ）は、次のようにして組立てる。まず、図１の内骨枠１と図２の外骨枠２とを図５に示すように立体型に成形しておく。次に、図４の上部囲い紙４を立体型の内骨枠１の上部骨枠部１６の外周面に糊付けしながら巻付けて、内骨枠１と上部囲い紙４とを図６の状態に合体させる。他方、図３の下部囲い紙３を立体型の外骨枠２の外周に巻付けながら、該下部囲い紙３を成形していき、且つ下部囲い紙３の上下各開口縁にある各糊代部３３を内方に折返して外骨枠２（図５）の各上辺骨２３の内面及び各下辺骨２４の内面にそれぞれ糊付けする（図６の状態となる）。そして、図６の状態から、内骨枠１の下部骨枠部１０を外骨枠２（及び下部囲い紙３）の開口内に挿入し、上部囲い紙４の下端にある各糊代部４３（４つ）をそれぞれ上部囲い紙４の上部開口縁に糊付けすると、図７に示す灯籠（灯籠本体Ｙ）に組立てることができる。
【００４１】
尚、吊り灯籠にする場合は、図７の灯籠本体Ｙに、図９の従来例に示す飾り材１０５や垂れ紙１０６や吊り手１０７等を取付ければ完成する。
【００４２】
この実施例の灯籠は、次のような機能を有している。即ち、この実施例の灯籠（灯籠本体Ｙ）では、骨枠（内骨枠１，外骨枠２）に厚紙を使用しているので、廃棄時に灯籠全体をそのまま焼却できる（合成樹脂製の骨枠を使用した従来品のように囲い紙と骨枠とを分別する手間が不要となる）。又、骨枠１，２を紙製としたものであっても、比較的剛性のある厚紙を使用しているので、灯籠本体の芯材としての機能は十分に確保できる。
【００４３】
又、骨枠を、それぞれ厚紙製で内骨枠１と外骨枠２との内外２重にしているので、骨枠組立体の強度が増し、骨枠組立体を厚紙製としたものであっても灯籠本体部分が頑強になる。
【００４４】
又、下部囲い紙３は、飾り突起３４部分に保形性をもたせ得る程度の中厚紙を使用しているので、該飾り突起３４部分に骨枠がなくても十分に飾り突起としての保形性を確保でき、骨枠組立体の構造を簡略化できる。
【００４５】
又、下部囲い紙３として、連続する１枚ものの紙を使用しているので、該下部囲い紙３の部品点数を少なくできるとともに、該下部囲い紙３を立体成形した外骨枠２の外周に取付ける作業が容易になる。
【図面の簡単な説明】
【００４６】
【図１】本願実施例の灯籠に使用される内骨枠の展開図である。
【図２】本願実施例の灯籠に使用される外骨枠の展開図である。
【図３】本願実施例の灯籠に使用される下部囲い紙の展開図である。
【図４】本願実施例の灯籠に使用される上部囲い紙の展開図である。
【図５】図１〜図４の各展張材料の成形状態を示す斜視図である。
【図６】本願実施例の灯籠（灯籠本体）の組立過程を示す斜視図である。
【図７】本願実施例の灯籠（灯籠本体）の組立完成状態を示す斜視図である。
【図８】図７のVIII−VIII拡大半断面図である。
【図９】従来の吊り灯籠の斜視図である。
【符号の説明】
【００４７】
１は内骨枠、２は外骨枠、３は囲い紙（下部囲い紙）、４は上部囲い紙、１０は下部骨枠部、１６は上部骨枠部、３４は飾り突起、Ｙは灯籠本体である。
【図１】
0003103022.tif 000003
【図２】
0003103022.tif 000004
【図３】
0003103022.tif 000005
【図４】
0003103022.tif 000006
【図５】
0003103022.tif 000007
【図６】
0003103022.tif 000008
【図７】
0003103022.tif 000009
【図８】
0003103022.tif 000010
【図９】
0003103022.tif 000011